(57)【特許請求の範囲】
【請求項１】
所定角度間隔で内方へ向けて突出する複数の磁極(2)を有する輪状ステータ(1)と、前記輪状ステータ(1)の両面に設けられ前記各磁極(2)を覆うための一体もしくは一対の輪状絶縁キャップ(3)と、前記輪状絶縁キャップ(3)の一部(3a)から外方へ向けて一体に突出する端子ピン保持部(4)と、前記端子ピン保持部(4)の外縁位置(4A)に設けられ互いに間隔をおいて配設された複数の端子ピン(7)と、前記端子ピン保持部(4)に形成され前記端子ピン保持部(4)の側部周囲を囲うように位置する端子ピン保持部壁(5)と、前記端子ピン保持部(4)の一面(4a)に形成され前記各端子ピン(7)間に位置する複数の端子ピン間壁(20)と、前記各磁極(2)に巻回されその各端線(8a)が前記各端子ピン(7)にからげて接続された巻線(8)と、前記各端子ピン間壁(20)と前記端子ピン保持部壁(5)によって前記各端子ピン(7)の周囲に形成された複数のワニス溜り用凹部(6)と、前記各ワニス溜り用凹部(6)内に供給されたワニス(10)と、前記ワニス溜り用凹部(6)内の前記端子ピン(7)と前記磁極(2)との間でかつ前記端子ピン保持部(4)に設けられた複数のガイドピン(9)とを備え、
前記端子ピン保持部壁(5)及び端子ピン間壁(20)は、前記端子ピン保持部(4)に一体成形され、
前記巻線(8)の端線(8a)は、前記ガイドピン(9)を介して曲折した後に前記各端子ピン(7)にからげて接続されると共に半田又はフュージングによって固定され、前記端線(8a)は前記ワニス溜り用凹部(6)内の前記ワニス(10)により保持されていることを特徴とするレゾルバステータ構造。
【発明の詳細な説明】
【技術分野】
【０００１】
本発明は、レゾルバステータ構造に関し、特に、各端子ピンの周囲に壁によって囲まれた複数のワニス溜り用凹部を形成し、各巻線の端線を各端子ピンにからげてワニス処理した場合におけるワニスからの浮き線の発生を防止するための新規な改良に関する。
【背景技術】
【０００２】
従来、用いられていたこの種のレゾルバステータ構造としては、例えば、後述の特許文献１及び２に開示された構成を図３及び図４に示すことができる。
すなわち、図３及び図４において符号１で示されるものは全体形状が輪状をなす輪状ステータであり、この輪状ステータ１の内面１ａには、所定角度間隔で内方に突出して形成される複数の磁極２が配設されている。
【０００３】
前記輪状ステータ１の両面には、前記各磁極２の外周を覆うように輪状絶縁キャップ３が形成され、この輪状絶縁キャップ３は、図示のように、輪状ステータ１に対してインサート成形による一体成形の場合、又は、図示しないが予め一対の第１、第２輪状絶縁キャップとして別部品で成形されたものを輪状ステータ１の両面から取付ける構成も採用される。
【０００４】
前記輪状絶縁キャップ３の一端側である一部３ａには、この輪状ステータ１の半径方向に突出するように端子ピン保持部４が一体成形により形成されている。
前記端子ピン保持部４の側部周囲には、この側部周囲を囲うように端子ピン保持部壁５が形成され、この端子ピン保持部４の一面４ａには、この端子ピン保持部４を囲むことによって形成される凹部からなるワニス溜り用凹部６が形成されている。
【０００５】
前記ワニス溜り用凹部６内には、複数の端子ピン７が互いに離間して直列状に植立して設けられており、この一面４ａには前記ワニス溜り用凹部６に隣接する状態で複数のガイドピン９が設けられている。
【０００６】
前記各磁極２には、前記輪状絶縁キャップ３によって絶縁された状態で周知のステータ巻線からなる巻線８が巻回して設けられており、各巻線８の端線８ａは、前記各ガイドピン９を介して前記各端子ピン７にからげて接続され、周知の半田又はフュージングによって固定されている。
【０００７】
前記各端子ピン７にからげて接続された前記端線８ａは、その直線又は曲線部分が振動等によって振れることのないように、前記ワニス溜り用凹部６内に供給されたワニス１０によって、固められるように構成されている。
【０００８】
従って、前述の構成によって形成された輪状ステータ構造２０の各磁極２の内側には、図示しないバリアブルリラクタンス型のロータが回転自在に設けられ、回転角度検出ができる。
【０００９】
【特許文献１】米国特許第６，８７３，０７４号明細書
【特許文献２】米国特許第５，９２０，１３５号明細書
【発明の開示】
【発明が解決しようとする課題】
【００１０】
従来のレゾルバステータ構造は、以上のように構成されているため、次のような課題が存在していた。
すなわち、端子ピン保持部に形成されたワニス溜り用凹部が各端子ピンに対して共通の１個形状であるため、巻線の完了後にワニス溜り用凹部内にワニスを供給して巻線の端線をワニスによって含浸固定する時に、ワニスの量を多くしないとワニス溜り用凹部内全体にワニスが行きわたらないことになり、多くのワニスを必要とすると共に、輪状ステータが水平状態からわずかでも傾いた場合、ワニスも傾斜して固まることになり、一方側の端子ピンに対する端線がワニスから浮き、固定することができず、他方側ではワニスがワニス溜り用凹部から溢れて垂れることになっていた。
前述のように、一方側の端子ピンの端線がワニスから浮いて浮き線の発生となった場合には、後加工によってワニスを追加して浮き線を覆わなければならなかった。
【課題を解決するための手段】
【００１１】
本発明によるレゾルバステータ構造は、所定角度間隔で内方へ向けて突出する複数の磁極を有する輪状ステータと、前記輪状ステータの両面に設けられ前記各磁極を覆うための一体もしくは一対の輪状絶縁キャップと、前記輪状絶縁キャップの一部から外方へ向けて一体に突出する端子ピン保持部と、前記端子ピン保持部の外縁位置に設けられ互いに間隔をおいて配設された複数の端子ピンと、前記端子ピン保持部に形成され前記端子ピン保持部の側部周囲を囲うように位置する端子ピン保持部壁と、前記端子ピン保持部の一面に形成され前記各端子ピン間に位置する複数の端子ピン間壁と、前記各磁極に巻回されその各端線が前記各端子ピンにからげて接続された巻線と、前記各端子ピン間壁と前記端子ピン保持部壁によって前記各端子ピンの周囲に形成された複数のワニス溜り用凹部と、前記各ワニス溜り用凹部内に供給されたワニスと、前記ワニス溜り用凹部内の前記端子ピンと前記磁極との間でかつ前記端子ピン保持部に設けられた複数のガイドピンとを備え、前記端子ピン保持部壁及び端子ピン間壁は、前記端子ピン保持部に一体成形され、前記巻線の端線は、前記ガイドピンを介して曲折した後に前記各端子ピンにからげて接続されると共に半田又はフュージングによって固定され、前記端線は前記ワニス溜り用凹部内の前記ワニスにより保持されている構成である。
【発明の効果】
【００１２】
本発明によるレゾルバステータ構造は、以上のように構成されているため、次のような効果を得ることができる。
すなわち、端子ピン保持部に設けられたワニス溜り用凹部内に、各端子ピン間を仕切る状態で端子ピン間壁が形成されているため、ワニス溜り用凹部が各端子ピン間壁によって細分化された状態となり、ワニス供給後に輪状ステータが傾斜した状態で乾燥工程を経た場合でも、ワニスは各端子ピン間壁内で収まり、外部に垂れにくくなり、従来よりも少ない量のワニスで巻線の端線の固定を行い、浮き線の発生を防止することができる。
また、前述のように浮き線の発生の防止をすることができることにより、ワニス硬化後にワニスを再供給する再作業を省くことができる。また、少量のワニスで端線の固定保持を行うことができるため、従来のようなワニス垂れを防止し、歩留まりの向上となる。
【発明を実施するための最良の形態】
【００１３】
本発明は、各端子ピンの周囲に壁によって囲まれた複数のワニス溜り用凹部を形成し、各巻線の端線を各端子ピンにからげてワニス処理した場合におけるワニスからの浮き線の発生を防止するようにしたレゾルバステータ構造を提供することを目的とする。
【実施例】
【００１４】
以下、図面と共に本発明によるレゾルバステータ構造の好適な実施の形態について説明する。
尚、従来例と同一又は同等部分には、同一符号を用いて説明する。
図１及び図２において符号１で示されるものは全体形状が輪状をなす輪状ステータであり、この輪状ステータ１の内面１ａには、所定角度間隔で内方に突出して形成される複数の磁極２が配設されている。
【００１５】
前記輪状ステータ１の両面には、前記各磁極２の外周を覆うように輪状絶縁キャップ３が形成され、この輪状絶縁キャップ３は、図示のように、輪状ステータ１に対してインサート成形による一体成形の場合、又は、図示しないが予め一対の第１、第２輪状絶縁キャップとして別部品で成形されたものを輪状ステータ１の両面から取付ける構成も採用される。
【００１６】
前記輪状絶縁キャップ３の一端側である一部３ａには、この輪状ステータ１の半径方向に突出するように端子ピン保持部４が一体成形により形成されている。
前記端子ピン保持部４の側部周囲には、この側部周囲を囲うように端子ピン保持部壁５が形成され、この端子ピン保持部４の一面４ａには、この端子ピン保持部４を前記端子ピン保持部壁５で囲むことによって形成される凹部６Ａが形成されている。
【００１７】
前記凹部６Ａには、前記端子ピン保持部壁５及び端子ピン保持部４と一体に形成された複数の端子ピン間壁２０によって複数のワニス溜り用凹部６が各々独立して形成されている。
前記ワニス溜り用凹部６内には、各々１本の端子ピン７がインサート成形又は後付けにより植設されて設けられており、前記端子ピン間壁２０は前記各端子ピン７間に配設されている。
【００１８】
前記各端子ピン７は、前記端子ピン保持部４の外縁位置４Ａに互いに離間して直列状に植立して設けられており、前記一面４ａには前記各ワニス溜り用凹部６に隣接する状態で複数のガイドピン９が設けられている。すなわち、前記ガイドピン９は、前記ワニス溜り用凹部６内の前記端子ピン７と磁極２との間でかつ前記端子ピン保持部４に設けられている。
【００１９】
前記各磁極２には、前記輪状絶縁キャップ３によって絶縁された状態で周知のステータ巻線からなる巻線８が巻回して設けられており、各巻線８の端線８ａは、前記各ガイドピン９を介して曲折した後に前記各端子ピン７にからげて接続され、周知の半田又はフュージングによって固定されている。
【００２０】
前記各端子ピン７にからげて接続された前記端線８ａは、その直線又は曲線部分が振動等によって振れることのないように、前記各ワニス溜り用凹部６内に供給されたワニス１０によって、固められるように構成されている。
【００２１】
前述の場合、前記各ワニス溜り用凹部６が、従来構成と異なり、複数に分割されていることにより、各ワニス溜り用凹部６の大きさは従来の１／ｎとなり、各ワニス溜り用凹部６内に供給したワニス１０の量は極めて少量となり、前記輪状ステータ１が傾斜して配設された場合においても、従来のように各ワニス溜り用凹部６から外に溢れて洩れるワニス垂れを防止することができる。
尚、前記各磁極２の内側には、図示しないバリアブルリラクタンス型のロータが回転自在に設けられ、回転角度検出を行うことができる。
【図面の簡単な説明】
【００２２】
【図１】本発明によるレゾルバステータ構造を示す平面図である。
【図２】図１の断面図である。
【図３】従来のレゾルバステータ構造を示す平面図である。
【図４】図３の断面図である。
【符号の説明】
【００２３】
１    輪状ステータ
２    磁極
１ａ    内面
３    輪状絶縁キャップ
３ａ    一部
４    端子ピン保持部
４ａ    一面
５    端子ピン保持部壁
６    ワニス溜り用凹部
６Ａ    凹部
７    端子ピン
８    巻線
８ａ    端線
９    ガイドピン
１０    ワニス
２０    端子ピン間壁
【図１】
0005167471.tif 000002
【図２】
0005167471.tif 000003
【図３】
0005167471.tif 000004
【図４】
0005167471.tif 000005